(57)【特許請求の範囲】
【請求項１】
標識シートを接着剤を介して、裏面に複数のリブが取り付けられたアルミ基板に重ねて押し付け、加熱することにより、アルミ基板に圧着するに当たって、平行に配列された複数の角パイプによってなる水平台に隙間を形成し、その隙間にアルミ基板のリブを嵌め込むと共に、アルミ基板を水平台の上に密着し載置するように構成された道路標識シートの圧着装置であって、
前記複数の角パイプの各角パイプに対応し、それを昇降させ、任意の高さに支持する角パイプ昇降機構と，水平台の上に載置されたアルミ基板の角パイプに平行なリブ列を水平方向に走査させられることによりアルミ基板のリブの位置を検知する光センサーと，及び、前記光センサーによって検知されたリブの位置に対応して、下降させる角パイプを決定し、決定した角パイプを前記角パイプ昇降機構を介して下降させる制御装置と，を備えたことを特徴とする道路標識シートの圧着装置。
【請求項２】
警報装置を更に備え、前記制御装置は、検知された、基準となる最内側のリブとは逆の最外側のリブの位置が直下の角パイプに対して所定範囲内にないと下降時にアルミ基板の最外側端部が直接角パイプで支持されないと判断し、前記警報装置を鳴らすことを特徴とする請求項１に記載の道路標識シートの圧着装置。
【請求項３】
前記標識シートがアルミ基板に押し付けられるよう、アルミ基板が載せられた水平台をアルミ基板と共に上から覆うゴムシートと，アルミ基板に押し付けられた標識シートを加熱する加熱装置と，前記角パイプの裏面に相対するように、複数の角パイプを囲む水平台の枠体に気密に取り付けられた箱室と，及び、その箱室から空気を抜き、ゴムシートの下方、標識シート及びアルミ基板と接する空間を減圧にする真空ポンプと，を備え、前記加熱装置を水平台の下方に配置したことを特徴とする請求項１又は２に記載の道路標識シートの圧着装置。
【発明の詳細な説明】
【０００１】
【発明の属する技術分野】
本発明は、裏面に複数のリブ（補強材）が平行に取り付けられたアルミ基板の表面に接着剤が塗布された標識シートを圧着する道路標識シートの圧着装置に関する。
【０００２】
【従来の技術】
道路標識Ｓとして、図１３に示すように、アルミ基板１の表面に熱可塑性よりなる接着剤Ｂを介して標識シート２が接着されたものが使用されている。接着は、裏面に予め接着剤Ｂが塗布された標識シート２がアルミ基板１に押し付けられた状態で、加熱され、接着剤Ｂが軟化乃至溶融、さらに硬化することによって行われる。アルミ基板１の裏面には複数のリブ（補強材）１ａが平行に取付けられている。
【０００３】
標識シート２がアルミ基板１に押し付けられ圧着されるために、図１３および図１４に示すような、アプリケーター治具と称する、主として平行に配列されたアルミの複数の角パイプ１３によって構成される水平台４の上に、アルミ基板１が水平台４の上に密着するように、載せられる。角パイプ１３は枠体４ａによって囲まれている。次に従来の道路標識シートの圧着装置による圧着操作手順について説明すると以下の通りである。
【０００４】
（ア）先ず道路標識Ｓの縦横の寸法・リブ１ａの位置を作業者がメジャーなどによって測定する。
（イ）載せられるアルミ基板１が水平台４の上に密着するように、アルミ基板１のリブ１ａの位置に合わせて、水平台４を構成する角パイプ１３の一部を作業者が抜き取り、残された角パイプ１３によって形成された隙間に、それに平行でかつ角パイプ１３と同じ高さのリブ１ａが嵌め込まれるようにする。
（ウ）リブ１ａを水平台４の隙間に合わせて嵌込み、アルミ基板１を水平台４の上に載せる。
（エ）載せられたアルミ基板１と共に水平台４をゴムシート５で上から覆う。
（オ）角パイプ３の裏面に相対するように、水平台４の枠体４ａに気密に取り付けられた箱室６の空気を真空ポンプ７によって抜き、ゴムシート５で覆われた空間を減圧にする。そうすることによって、ゴムシート５の上方の空気圧により、ゴムシート５を介して標識シート２がアルミ基板１に強く押し付けられる。
（カ）赤外線ヒーター８により加熱し、接着剤Ｂを軟化溶融させ、さらに硬化させることにより標識シート２をアルミ基板１に圧着させる。
（キ）標識シート２がアルミ基板１に圧着された道路標識Ｓを取り出した後、ファン９により、冷風を水平台４の上から吸い込み、水平台４を冷却し、次の道路標識Ｓの圧着に備える。これは冷却前に、次の道路標識Ｓ用の標識シート２が、アルミ基板１に押し付けられる前に水平台４に載せられるだけで加熱されて、上方にめくれたり、接着剤Ｂが加熱されて、軟化乃至は溶融することを避けるためである。
【０００５】
【発明が解決しようとする課題】
しかしながら、上記道路標識シートの圧着装置の従来例は、大半の操作を人手に依存しており、そのため（ア）に記載の測定には多大の時間を要し、（イ）に記載の角パイプ１３は１本当たり５ｋｇもあり、その取り扱いはかなりの重労働であるという欠点がある。
さらに（ウ）に記載のアルミ基板１の水平台４への載置に当たっては、大きく、且つかなりの重量があるアルミ基板１を、水平台４の隙間にリブ１ａを嵌め込むときに、アルミ基板１と水平台４との間に指が挟まれ、負傷するという危険が伴うという欠点がある。また（キ）に記載の完成した道路標識Ｓの水平台４からの取り外しは、水平台４への載置程ではないが、大きく、重いものはやはりかなりの重労働となる。
そのうえ、同じ（キ）に記載の水平台４の冷却も、リブ１ａを嵌め込むための偏った配置の隙間しかなく、従って水平台４への通風が悪く、冷却速度が低いため、冷却に多大の時間を要するという欠点がある。
このように従来の道路標識シートの圧着装置によれば生産性が低く、そのためコスト高となるという欠点がある。
【０００６】
そこで本発明の目的とするところは、従来の欠点を解決した、人手に依存した作業を機械化・自動化することにより省力化した、安全で生産性が高く、コストが低い道路標識シートの圧着装置を提供することにある。
【０００７】
【課題を解決するための手段】
上記の目的を達するために、請求項１の発明の道路標識シートの圧着装置は、標識シート（２）を接着剤（Ｂ）を介して、裏面に複数のリブ（１ａ）が取り付けられたアルミ基板（１）に重ねて押し付け、加熱することにより、アルミ基板（１）に圧着するに当たって、平行に配列された複数の角パイプ（３）によってなる水平台（４）に隙間を形成し、その隙間にアルミ基板（１）のリブ（１ａ）を嵌め込むと共に、アルミ基板（１）を水平台（４）の上に密着し載置するように構成された道路標識シートの圧着装置であって、複数の角パイプ（３）の各角パイプに対応し、それを昇降させ、任意の高さに支持する角パイプ昇降機構（１０）と，水平台（４）の上に載置されたアルミ基板（１）の角パイプ（３）に平行なリブ列を水平方向に走査させられることによりアルミ基板（１）のリブ（１ａ）の位置を検知する光センサー（２０）と，及び、光センサー（２０）によって検知されたリブ（１ａ）の位置に対応して、下降させる角パイプ（３）を決定し、決定した角パイプ（３）を角パイプ昇降機構（１０）を介して下降させる制御装置（３０）と，を備えたことを特徴とするものである。
【０００８】
請求項２の発明は、請求項１の発明の構成に加えて、警報装置（３１）を更に備え、制御装置（３０）は、検知された、基準となる最内側のリブ（１ａ）とは逆の最外側のリブ（１ａ）の位置が直下の角パイプ（３）に対して所定範囲内にないと下降時にアルミ基板（１）の最外側端部が直接角パイプ（３）で支持されないと判断し、警報装置（３１）を鳴らすことを特徴とするものである。
【０００９】
請求項３の発明は、請求項１又は２の発明の構成に加えて、標識シート（２）がアルミ基板（１）に押し付けられるよう、アルミ基板（１）が載せられた水平台（４）をアルミ基板（１）と共に上から覆うゴムシート（５）と，アルミ基板（１）に押し付けられた標識シート（２）を加熱する加熱装置（８）と，角パイプ（３）の裏面に相対するように、複数の角パイプ（３）を囲む水平台（４）の枠体（４ａ）に気密に取り付けられた箱室（６）と，及び、その箱室（６）から空気を抜き、ゴムシート（５）の下方、標識シート（２）及びアルミ基板（１）と接する空間を減圧にする真空ポンプ（７）と，を備え、加熱装置（８）を水平台（４）の下方に配置したことを特徴とするものである。
【００１０】
なお、カッコ内の記号は図面に示し後述する発明の実施の形態の対応要素又は対応事項を示す。
【００１１】
請求項１の発明によれば、リブの位置の検知が光センサーによって行われるため、従来例の手作業による測定に比較して、手間及び時間が大幅に節約される。また、検知されたリブの位置に対応して、下降させられる角パイプが制御装置によって決定されるので、従来の目視によるものに比較して正確且つ迅速である。さらに決定された角パイプが角パイプ昇降機構により自動的に下降させられ、リブの嵌め込み可能な隙間が形成されるため、従来例のように手持ちによる、１本当たり５ｋｇ角パイプを抜き取る重作業が必要でなくなり、作業者の負担が軽減される。そのうえ、大きく、且つ重いアルミ基板は、リブを角パイプに平行にして水平台の上に載置するだけよく、その後位置合わせのための移動、水平台の隙間へのリブの嵌め込み等の作業も不要であり、アルミ基板と水平台との間に指が挟まれ、負傷するという危険性がなくなり安全である。
【００１２】
また、接着剤を軟化溶融させるための加熱によって、温度が上昇した水平台を次の接着に備えて冷却する必要があるが、角パイプ昇降機構により角パイプを降下させることが容易であるので、例えば１本おきに下降させると、従来例のリブに対応する数の少ない隙間に比較して、複数の隙間が均一に配列されることになり、しかも伝熱面積も大きいため、冷却速度が増大し、冷却時間が著しく短縮される。なお、角パイプを上昇復帰させるのも角パイプ昇降機構によれば、容易である。
以上のことから、従来の道路標識シートの圧着装置に比較して、生産性を向上させることができ、それにともないコストの低減を図ることができる。
【００１３】
請求項２の発明によれば、請求項１の発明の作用効果に加えて、リブ位置の検知からアルミ基板を下降させた場合にアルミ基板の最外側端部が直接角パイプで支持されないと判断したときには、予め警報装置が鳴らされるので、それに対しアルミ基板を警報装置が鳴らないところまで僅かに移動すれば、標識シートの押し付けによってアルミ基板の最外側端部が下部に湾曲することが防止される。
【００１４】
請求項３の発明によれば、請求項１又は２の発明の作用効果に加えて、上方からの標識シートのアルミ基板への押し付けが効果的に行われると共に、例えば赤外線ヒータ等の加熱装置を水平台の下方に配置したので、水平台の上方部の省空間化が図られ、アルミ基板などの出し入れが容易である。また、加熱装置を下方に配置した方が熱効率に優れる。
【００１５】
【発明の実施の形態】
本発明の実施の形態例について図面を参照して説明する。それぞれ図１は本発明の実施の形態例に係わる道路標識シートの圧着装置の概略外観を示す斜視図、図２はアルミ基板１を本発明の実施の形態例に係わる道路標識シートの圧着装置の水平台４に載置した状態を示す道路標識シートの圧着装置の横断面図、図３は角パイプ昇降機構１０及び光センサー２０を示す道路標識シートの圧着装置の拡大縦断面図、図４は図３の状態から一部の角パイプ３を降下させた状態を示す道路標識シートの圧着装置の拡大縦断面図、及び図５は電気系統の構成概要を示すブロック図である。なお、従来例と同一部分には同一の符合を付した。
【００１６】
標識シート２をアルミ基板１に圧着するに当たって、重ね合わされた標識シート２を、裏面に複数のリブ１ａが取り付けられたアルミ基板１に押し付け、加熱することにより、裏面に予め塗布された接着剤Ｂを介して、アルミ基板１に圧着する操作は、従来例と基本的には同じである。しかも、上方から標識シート２をアルミ基板１に押し付けるために、主として平行に配列された複数の角パイプ３によって構成される水平台４に隙間を形成し、その隙間に角パイプ３の高さよりも高さの低いリブ１ａを嵌め込むと共に、アルミ基板１を水平台４の上に密着させるように載置することも同じである。ただし、後述するように、隙間の形成が従来が作業者が角パイプ３を取り除くことによって行っていたが、ここでは自動的に下降させる点で大きく異なる。
【００１７】
また、水平台４には、平行に配列された複数の角パイプ３を囲む枠体４ａが設けられており、重ね合わされた標識シート２がアルミ基板１に押し付けられるよう、アルミ基板１が載せられた水平台４をアルミ基板１と共に上から覆うゴムシート５、角パイプ３の裏面に相対するように、水平台４の枠体４ａに気密に取り付けられた箱室６、及びその箱室６から空気を抜き、ゴムシート５の下方、標識シート２及びアルミ基板１と接する空間を減圧にする真空ポンプ７を備えていることも従来例と同じである。さらに、標識シート２とアルミ基板１とを加熱する加熱装置としての赤外線ヒーター８及び水平台４の隙間から箱室６を経て、水平台４の冷却用の空気を吸引するファン９が設けられている。
【００１８】
特に、本発明の実施の形態例に係る道路標識シートの圧着装置は、各角パイプ３を任意の高さに支持し、昇降させるところの、各角パイプ３に対応する角パイプ昇降機構１０、水平台４の上に載置されたアルミ基板１の角パイプ３に平行なリブ１ａの列を水平方向に走査させられることによりアルミ基板１のリブ１ａの位置及び取り付け方向を検知する光センサー２０を備えている。そのうえ検知されたリブ１ａの位置及び取り付け方向に対応して、下降させる角パイプ３を、演算に基づいて決定し、角パイプ昇降機構１０を介して決定された角パイプ３を下降させる制御装置３０を備えている。
【００１９】
各角パイプ昇降機構１０について、図３及び図４により説明すると、角パイプ昇降機構１０は、下方に配置された水平な直線状の中間ロッド１１、その中間ロッド１１を角パイプ３の長手方向に平行な方向に進退させるシリンダー（ここではエアーシリンダーを使用）１５、及びそのシリンダー１５の運動に伴って進退する中間ロッド１１の運動を角パイプ３の昇降運動に変換するカム機構５０よりなる。なお、その他に各角パイプ３は前後左右に、中間ロッド１１は左右にそれぞれ逸脱しないようガイドによって支持されている（図示省略）。
カム機構５０の一例について説明すると、角パイプ３の下面に長手方向に間隔を開けて取り付けられた複数個の上カム５１及び中間ロッド１１の上面に取り付けられた、各上カム５１に対応する複数個の下カム５２よりなり、下カム５２は上カム５１を介して角パイプ３を支えるか、又は角パイプ３を直接支えるかするよう構成されている。各上カム５１は断面略台形状であって、図３，４では後面Ｒが後方右上がりに傾斜している。それに対応する各下カム５２も断面略台形状であるが、前面Ｆが後方右上がりに傾斜している。
【００２０】
光センサー２０は、枠体４ａの角パイプ３の一端側の外面に水平方向に敷設されたガイドレール２１に沿って走行する昇降シリンダー２２の鉛直方向に進退するロッドの先端に取り付けられている。後述する図１０に示すように、リブ１ａの形状は定まっていて、また光センサー２０は、同様に図１０に示すように、リブ１ａの上部１ａ’の有無を検知しオン／オフ信号を制御装置３０に送る上部センサー２０ａとリブ１ａの下部１ａ”の有無を検知しオン／オフ信号を同じく制御装置３０に送る下部センサー２０ｂからなっているので、上，下部両方のセンサー２０ａ，２０ｂがオンした位置と、下部センサー２０ｂだけがオンした位置からリブ１ａの取り付け位置及び取り付け方向が制御装置３０によって識別されるようになっている。なお、アルミ基板１の端部ではリブ１ａの上部１ａ’及び下部１ａ”は内側（図１０の左側）にくるようにリブ１ａは取り付けられていて、アルミ基板１の逆側端部でもリブ１ａの上部１ａ’及び下部１ａ”は図２に示すように内側（図１０では右側に対応）にくるようにリブ１ａは取り付けられるが、中間部に取り付けられたリブ１ａの方向は一定ではない。
【００２１】
また、光センサー２０の高さの位置決めを行う昇降シリンダー２２は図３に示すようにモーターＭによって駆動されるようになっている。モーターＭと昇降シリンダー２２を連結するタイミングベルト２３にはエンコーダー２４が取り付けられていて昇降シリンダー２２の移動距離が検出され、エンコーダー２４からの信号は制御装置３０に送られるようになっている。
その他、アルミ基板１の長さを検知する長さ検知センサー６０及び一番端の角パイプ３の側面に沿って立設される、アルミ基板１のリブ１ａの長手方向に平行な辺を当てる複数個の取り外し用ガイドストッパー７０が設けられている。
【００２２】
制御装置３０は、図５に示すようにＣＰＵ３０ａ，ＲＯＭ３０ｂ，ＲＡＭ３０ｃからなり、制御装置３０には前述した光センサー２０や検知センサー６０などのセンサー類，エンコーダー２４，警報ブザー３１，モーターＭ駆動用のドライバー３２，弁の開閉によりエアーをシリンダー１５に供給するシリンダー駆動装置３３，操作ボード３４，及び、その他の駆動装置が接続されている。
【００２３】
次に、制御装置３０の制御の一部であるアルミ基板セット処理を示すフローチャートを参照にして、本発明の実施の形態例に係わる道路標識シートの圧着装置の作動について説明する。
作業者によって標識シート２が上面に重ね合わされた長方形のアルミ基板１（図１２）を、図２に示すように、リブ１ａの長手方向に平行な辺を取り外し用ガイドストッパー７０に合わせて、水平台４の上に載置し、完了すると操作ボード３４（図５）のスタートスイッチＳＷがオンされるので、先ず制御装置３０はスタートスイッチＳＷのオン／オフの確認を行う（ステップ１；以下、カッコ内ではステップという語を省略する）。
【００２４】
載置が完了し（このときガイドストッパー７０は取り外される）スタートスイッチＳＷがオンされると、次に制御装置３０はモーターＭをオンさせて、光センサー２０をリブ１ａの列を水平方向に走査させる（２）。そして光センサー２０の走査による、エンコーダー２４からの信号を介しての光センサー２０の移動距離と移動距離に対応した光センサー２０のオン／オフ信号を読み取り記憶した後（３）、モーターＭをオフさせる（４）。
次に、制御装置３０は読み取った移動距離とオン／オフ信号から前述したようにリブ１ａの取り付け位置及び取り付け方向を検知し（５）、検知されたリブ１ａの位置及び方向に対応して、下降させる角パイプ３を決定する（６）。具体的には、リブ１ａ全体を下降するようにしてあるので、リブ１ａの下部１ａ”が当接する角パイプ３だけではなく、リブ１ａとアルミ基板１とが固定（溶接）された面の直下に位置する角パイプ３が下降対象となる。ただし、検知された、基準となる（載置時にガイドストッパー７０に当接して基準となる）最内側（図２，図１０の左側）のリブ１ａとは逆の最外側（図２，図１０の右側）のリブ１ａについてはリブ１ａの下部１ａ”が当接する角パイプ３だけを下降対象とするものである。他のリブ１ａと同様に直下の角パイプ３をすべて下降させると、図７，図８に示すように、下降時にアルミ基板１の最外側端部が直接角パイプ３で支持されないため標識シートの押し付けによって最外側端部が下部に湾曲するからである。
【００２５】
次に、制御装置３０は図１０で示すように、最外側（図２，図１０の右側）のリブ１ａの位置が直下の角パイプ３に対して所定範囲内にあるか否かチェックする、具体的には図１０に示すリブ１ａの内側線の位置ｘが角パイプ３の横幅Ｘ０の整数倍以上で横幅Ｘ０の整数倍に値Ｙ０（値Ｙ０はリブ１ａの固定面の幅Ｌ１から下部１ａ”間の距離Ｌ２とアルミ基板１の安定支持範囲値Ｚ０とを減算したものである）を加えたもの以下の範囲にあるか否かをチェックする（７）。このように判断するのは、下降時にアルミ基板１の最外側端部が直接角パイプ３で確実に安定して支持されることを目的にしたものであり、仮に位置ｘが範囲内にないとリブ１ａの下部１ａ”が当接する角パイプ３の下降によってアルミ基板１の最外側端部を支持する角パイプ３がなくなるか、たとえあっても僅かでその支持が不安定なものとなり、結果として標識シート２の押し付けにより最外側端部を下部に湾曲させることとなってしまうからこのような事象を予め防止するためである。本実施形態例ではＬ１＝５０ｍｍ，Ｌ２＝２６ｍｍ，Ｚ０＝１０ｍｍより、Ｙ０＝１４ｍｍである。なお、Ｘ０＝４０ｍｍ，Ｌ３＝３ｍｍ，Ｌ４＝５５ｍｍである。
【００２６】
ステップ７でリブ１ａの内側線の位置ｘが範囲内にあると、制御装置３０は下降時にアルミ基板１の最外側端部が直接角パイプ３で安定して支持されると判断し、ステップ６で決定した角パイプ３を角パイプ昇降機構１０により、リブ１ａの高さ分だけ一斉に下降させる（８）。これにより、リブ１ａの嵌め込み可能な隙間が形成され、図９に示すように、角パイプ３と共にアルミ基板１が降下し裏面が水平台４の上面に密着する。
なお、ステップ７で位置ｘが範囲内にないと、制御装置３０は下降時にアルミ基板１の最外側端部が直接角パイプ３で支持されずに押し付けにより湾曲すると判断され、警報ブザー３１が作業者によって操作ボード３４上のストップボタンＢＴがオンされるまで自動的に鳴らされる（９〜１１）。この警報によって、作業者はアルミ基板１を僅かに左右方向に移動し、再度スタートスイッチＳＷをオン（１）することによって、上述の処理内容が繰り返され再度下降時にアルミ基板１の最外側端部が直接角パイプ３で支持されるか否かチェックすることができる。
【００２７】
このようなステップ７〜１１によるチェック処理は予めアルミ基板１，角パイプ３の下降前に判断するものあるので、現実に下降した後の場合と比較して余分な下降及び上昇運動の必要がなくなるので効率的である。
【００２８】
以上のようなアルミ基板セット処理が完了すると、アルミ基板１が載せられた水平台４をアルミ基板１と共に上方からゴムシート５で覆うと共に、真空ポンプ７を起動し、箱室６内の空気を抜き、ゴムシート５の下方、標識シート２及びアルミ基板１と接する空間を減圧にする。そうすることによって、ゴムシート５の上方の空気圧により、ゴムシート５を介して標識シート２がアルミ基板１に強く押し付けられる。そして、赤外線ヒーター８を下降させ、ゴムシート５の上方に接近させ、ゴムシート５を介して標識シート２とアルミ基板１とを加熱する。そうすることによって、接着剤Ｂが軟化溶融し、さらに硬化することにより標識シート２がアルミ基板１に強く圧着され、道路標識Ｓが完成する。
【００２９】
次に赤外線ヒーター８を上昇させ、ゴムシート５を取り去り、道路標識Ｓを取り出した後、図１１に示すように、温度が上昇した水平台４を次の圧着に備えて、角パイプ昇降機構１０により例えば１本おきに角パイプ３を降下させると共に、ファン９を起動し、形成された隙間から冷風を吸引し、水平台４を効率よく冷却する。
この冷却によって、角パイプ３の表面温度を約４０（℃）度まで下げるのに従来約４０分かかっていたものが約２０分で行えるようになった。
【００３０】
なお、本実施形態例では加熱装置である赤外線ヒーター８を上方に配置したが（図９の実線）、赤外線ヒーター８を水平台４の下方に配置するようにしてもよい（図９の一点破線）。これによれば、水平台４の上方部の省空間化が図られ、アルミ基板１などの出し入れが容易である。また、赤外線ヒーター８を下方に配置した方がゴムシート５を介すことなく熱効率に優れる。
【００３１】
【発明の効果】
請求項１の発明によれば、リブの位置の検知が光センサーによるため、従来例の手作業による測定に比較して、手間及び時間が大幅に節約される。また、検知されたリブの位置に対応して、下降させられる角パイプが制御装置によって決定されるので、従来の目視によるものに比較して正確且つ迅速である。
さらに決定された角パイプが角パイプ昇降機構により自動的に下降させられ、リブの嵌め込み可能な隙間が形成されるため、従来例のように手持ちによる、１本当たり５ｋｇ角パイプを抜き取る重作業が必要でなくなり、作業者の負担が軽減される。そのうえ、大きく、且つ重いアルミ基板は、リブを角パイプに平行にして水平台の上に載置するだけよく、その後位置合わせのための移動、水平台の隙間へのリブの嵌め込み等の作業も不要であり、アルミ基板と水平台との間に指が挟まれ、負傷するという危険性がなくなり安全である。
【００３２】
また、接着剤を軟化溶融させるための加熱によって、温度が上昇した水平台を次の接着に備えて冷却する必要があるが、角パイプ昇降機構により角パイプを降下させることが容易であるので、例えば１本おきに下降させると、従来例のリブに対応する数の少ない隙間に比較して、複数の隙間が均一に配列されることになり、しかも伝熱面積も大きいため、冷却速度が増大し、冷却時間が著しく短縮される。なお、角パイプを上昇復帰させるのも角パイプ昇降機構によれば、容易である。
以上のことから、従来の道路標識シートの圧着装置に比較して、生産性を向上させることができ、それにともないコストの低減を図ることができる。
【００３３】
請求項２の発明によれば、請求項１の発明の作用効果に加えて、リブ位置の検知からアルミ基板を下降させた場合にアルミ基板の最外側端部が直接角パイプで支持されないと判断したときには、予め警報装置が鳴らされるので、それに対しアルミ基板を警報装置が鳴らないところまで僅かに移動すれば、標識シートの押し付けによってアルミ基板の最外側端部が下部に湾曲することが防止される。
【００３４】
請求項３の発明によれば、請求項１又は２の発明の作用効果に加えて、上方からの標識シートのアルミ基板への押し付けが効果的に行われると共に、例えば赤外線ヒータ等の加熱装置を水平台の下方に配置したので、水平台の上方部の省空間化が図られ、アルミ基板などの出し入れが容易である。また、加熱装置を下方に配置した方が熱効率に優れる。
【図面の簡単な説明】
【図１】本発明の実施の形態例に係わる道路標識シートの圧着装置の概略外観を示す斜視図である。
【図２】アルミ基板１を図１に示す水平台４に載置した状態を示す本発明の実施の形態例に係わる道路標識シートの圧着装置の横断面図である。
【図３】角パイプ昇降機構１０及び光センサー２０を示す道路標識シートの圧着装置の拡大縦断面図である。
【図４】図３の状態から一部の角パイプ３を降下させた状態を示す道路標識シートの圧着装置の拡大縦断面図である。
【図５】電気系統の構成概要を示すブロック図である。
【図６】制御装置３０のアルミ基板セット処理の内容を示すフローチャートである。
【図７】アルミ基板１を水平台４に載置した状態で下降時にアルミ基板１の最外側端部が角パイプ３で支持されない場合を示す、本発明の実施の形態例に係わる道路標識シートの圧着装置の横断面図である。
【図８】図７に示すアルミ基板１の載置した位置で標識シートの圧着操作を行っている状態を示す横断面図である。
【図９】図２に示すアルミ基板１の載置した位置で標識シートの圧着操作を行っている状態を示す横断面図である。
【図１０】アルミ基板１の最外側端部に固定されたリブ１ａを示す拡大断面図である。
【図１１】水平台４の冷却操作を行っている状態を示す横断面図である。
【図１２】道路標識Ｓの一例を示す斜視図である。
【図１３】アルミ基板１のリブ１ａ対応の角パイプ１３を取り除いた状態を示す、従来例に係わる道路標識シートの圧着装置の横断面図である。
【図１４】従来例による接着操作を行っている状態を示す横断面図である。
【符号の説明】
１    アルミ基板
１ａ  リブ
２    標識シート
３    角パイプ
４    水平台
４ａ  枠体
５    ゴムシート
６    箱室
７    真空ポンプ
８    赤外線ヒーター
９    ファン
１０    角パイプ昇降機構
１１    中間ロッド
１３    角パイプ
１５    シリンダー
２０    光センサー
２１    ガイドレール
２２    昇降シリンダー
２４    エンコーダー
３０    制御装置
３０ａ  ＣＰＵ
３０ｂ  ＲＯＭ
３０ｃ  ＲＡＭ
３１    警報ブザー
３２    モーターＭ駆動用のドライバー
３３    シリンダー駆動装置
３４    操作ボード
５０    カム機構
５１    上カム
５２    下カム
６０    長さ検知センサー
７０    取り外し用ガイドストッパー
Ｂ    接着剤
Ｓ    道路標識
Ｍ    モーター
【図１】
0003621562.tif 000002
【図２】
0003621562.tif 000003
【図３】
0003621562.tif 000004
【図４】
0003621562.tif 000005
【図５】
0003621562.tif 000006
【図６】
0003621562.tif 000007
【図７】
0003621562.tif 000008
【図８】
0003621562.tif 000009
【図９】
0003621562.tif 000010
【図１０】
0003621562.tif 000011
【図１１】
0003621562.tif 000012
【図１２】
0003621562.tif 000013
【図１３】
0003621562.tif 000014
【図１４】
0003621562.tif 000015